(57)【特許請求の範囲】
【請求項１】
複数枚の用紙を載置するフラッパと、
該フラッパ上に積載された用紙を最上層の用紙から順に繰り込むピックアップローラと、
該フラッパを上方へ付勢する付勢手段と、
該ピックアップローラの回転軸に取り付けたカムと、該カムの外側面で一体に回転するように設け外周の一箇所に爪部を設けた回転係止盤と、該フラッパに凸設させた円筒形のシャフトと、を有し、前記フラッパと前記ピックアップローラとを離間・接触させるカム機構と、
前端部に前記回転係止盤の爪部と係脱する爪部を有し、ソレノイドにより吸引、吸引解除される係止プレートと、
を具備し、
前記カム機構は、前記ソレノイドが通電することにより、前記係止プレートが下降して、前記係止プレートの爪部が前記回転係止盤の爪部に係合するとともに、前記回転軸からの距離が最大となる前記カムの面が前記シャフトに当接する、
ことを特徴とする給紙装置。
【請求項２】
装置前面に開閉可能な手差し扉を設け、
該手差し扉を開けることで前記ソレノイドが通電される、
ことを特徴とする請求項１記載の給紙装置。
【発明の詳細な説明】
【０００１】
【発明の属する技術分野】
本発明は、コピー・ファクシミリ複写機等の画像読取装置において、その記録部へ用紙を給送する給紙装置の技術に関し、より詳しくは、マルチ手差し部に上下回動可能に取り付けられたフラッパの昇降機構に関する。
【０００２】
【従来の技術】
コピー・ファクシミリ複写機等の画像読取装置において、通常、その下部には、複数段の給紙カセットが設けられており、それぞれの給紙カセット内には、サイズの異なる用紙がセットされている。また、該給紙カセットとは別に、装置一側面にはマルチ手差し部が設けられており、該マルチ手差し部には所望のサイズの用紙が挿し込み可能で、前記給紙カセット、又は該マルチ手差し部から用紙が記録部へと給送される。
前記マルチ手差し部内には用紙を載置するフラッパが枢支され、該フラッパの上方位置には、ピックアップローラが配設されている。そして、該フラッパと給紙カセット底面との間にスプリング等の付勢手段が介装され、これにより該フラッパが上方に付勢されて、フラッパ上に載置される用紙が前記ピックアップローラに当接するようにされている。
このピックアップローラと、分離パッドとで用紙分離機構が構成されている。
【０００３】
そうして、１度に複数枚の用紙を記録部へ給送する場合には、フラッパ上にセットされた用紙は、前記ピックアップローラ及び分離バッドによって１枚ずつ分離され、記録部へ給送されるのであった。
このように分離パッド方式を用いるものについては、フラッパを押し下げた状態に保つと、記録用紙をセットする等の作業がし易く、そこで、このフラッパを自動的に押し下げるために、ピックアップローラの回動支点軸にカムを取り付け、偏心して回転する該カムにおける回動支点軸からの距離が最大となる面をフラッパに当接させて下方に押し下げていた。
【０００４】
従来、板金で形成されたフラッパでは、その側面に曲げ加工を施して「Ｌ」字型に折り曲げ、その水平面にカムが当接するように構成されていた。あるいは、フラッパの側面にスタンドを凸設させ、該スタンドでローラを軸支して、該ローラにカムが当接するように構成されていた。
こうして、カムの回動支点軸からの距離が最大となる面がその回転軌跡における最下方位置へと回転し、該面がフラッパを折り曲げた水平面、あるいは、ローラに当接することで該フラッパはスプリング等による押し上げ力に抗して所定の位置に押し下げられるのであった。
【０００５】
【発明が解決しようとする課題】
しかしながら、前記フラッパにおけるカムの当接部を、フラッパの側面を折り曲げて形成すると、その加工処理も簡単で、確かにコスト的には有利であるが、フラッパを折り曲げた水平面に塵挨等が積もると、該水平面とカムとの間の摩擦抵抗が増えてカムの摺動性が低下する。その結果、用紙繰込時等、ピックアップローラを回転させる場合、該カムが該水平面に軽く引っ掛られるような感じとなり、該ピックアップローラの回転軸により大きな回転トルクが必要となり、さらに、該回転軸に伝達される回転トルクが足りなくなると、モータが脱調現象を起こして、各ローラが停止してしまう。
【０００６】
そこで、前記従来技術の後者のように、フラッパの側面にローラを設け、該ローラにカムを当接させる構成として改良されたのであるが、この場合、該ローラの回転により塵挨等は溜まり難いものの、該ローラを取り付けるということは、コストアップに繋がる上、その組み付けにも手間が懸かり、新たな問題点が生じる。
【０００７】
本発明では、前記の２つの従来技術の問題点を鑑みて、装置のコストアップを極力抑えた上で、フラッパにおけるカムの当接部に塵挨等が溜まり難い構造として、給紙装置におけるフラッパの昇降機構を改良することを課題とする。
【０００８】
【課題を解決するための手段】
本発明は以上のような課題を解決すべく、次のような手段を用いるものである。
すなわち、請求項１記載の如く、複数枚の用紙を載置するフラッパと、
該フラッパ上に積載された用紙を最上層の用紙から順に繰り込むピックアップローラと、
該フラッパを上方へ付勢する付勢手段と、
該ピックアップローラの回転軸に取り付けたカムと、該カムの外側面で一体に回転するように設け外周の一箇所に爪部を設けた回転係止盤と、該フラッパに凸設させた円筒形のシャフトと、を有し、前記フラッパと前記ピックアップローラとを離間・接触させるカム機構と、
前端部に前記回転係止盤の爪部と係脱する爪部を有し、ソレノイドにより吸引、吸引解除される係止プレートと、
を具備し、
前記カム機構は、前記ソレノイドが通電することにより、前記係止プレートが下降して、前記係止プレートの爪部が前記回転係止盤の爪部に係合するとともに、前記回転軸からの距離が最大となる前記カムの面が前記シャフトに当接する。
【０００９】
また、請求項２記載の如く、装置前面に開閉可能な手差し扉を設け、
該手差し扉を開けることで前記ソレノイドが通電される。
【００１０】
【発明の実施の形態】
これより、本発明に係る実施例を、コピー・ファクシミリ複合機を参照しながら説明する。
図１はコピー・ファクシミリ複合機の斜視図、図２はフラッパ１１の斜視図、図３はフラッパ１１の下降状態を示すマルチ手差し部１の側面断面図、図４はフラッパ１１の上昇状態を示すマルチ手差し部１の側面断面図、図５はカム１４の係止状態を示す側面図である。
【００１１】
尚、以下の説明において、図１に標す矢視方向（コピー・ファクシミリ複合機にあっては給紙トレイ４Ｔ・４Ｂの把手側）を前方として、各構造体の前後左右方向を説明する。また、他の図面におけるその前後左右方向についても、図１に準ずるものとする。
【００１２】
図１に示すように、コピー・ファクシミリ複合機は、記録部２の上方に読取部３を配置して構成されている。
前記読取部３は、読取載置台６内に設けられた読取装置を走査させて静止原稿等を読み取るフラットベッドタイプのスキャナとして用いられるとともに、該読取装置を位置固定して、原稿を原稿押さえカバー７の一端に付設した自動原稿搬送装置（ＡＤＦ）８に給送しながら読み取りを行うシートフィードタイプのスキャナとして用いることができるように構成されている。
【００１３】
前記記録部２の下方には、給紙カセット４Ｔ・４Ｂが上下二段（又は、複数段）に並設して構成されている。給紙カセット４Ｔ・４Ｂ内には、互いに用紙サイズが異なる用紙がそれぞれ堆積して貯留されており、該給紙カセット４Ｔ・４Ｂの何れか一方から用紙を繰り出して記録部２へ給紙し、該用紙に記録を行なった後に記録済の用紙を排出トレイ５へ排出して、堆積するよう構成されている。
【００１４】
さらに、前記給紙カセット４Ｔ・４Ｂとは別に、装置前面には手差し扉１０が設けられており、該手差し扉１０を開放して、その中のマルチ手差し部１に所望のサイズの用紙を挿し込み、該用紙を繰り込んでこのマルチ手差し部１からも記録部２への給送が可能である。
【００１５】
次に、前記マルチ手差し部１について説明する。
図１乃至図４に示すように、前記装置前面に設けた手差し扉１０は、開閉可能に構成され、該手差し扉１０を開放した状態で、その上面は用紙の載置台としてのトレイとして使用することもできる。
そして、前記手差し扉１０の開口部からその奥側に向けてのスペースにマルチ手差し部１が設けられ、該マルチ手差し部１には、以下に示す給紙機構が設けられている。
【００１６】
前記マルチ手差し部１の奥側には、用紙を載置するフラッパ１１が配設され、その両側面に凸設させたピン部１１ａ・１１ａが装置本体側に枢支されて、上下回動可能に構成されている。該フラッパ１１の後端側は、スプリング１２等の付勢手段によって上方へ付勢され、また、該フラッパ１１の後端側における上方位置には、ピックアップローラ１３が配設されて、該フラッパ１１の後端中央と該ピックアップローラ１３とが当接するように構成されている。
【００１７】
前記ピックアップローラ１３はフラッパ１１に載置された用紙を繰り込むローラであり、その回動支点軸１３ａは前記手差し扉１０の開口部からその奥側に向けて形成されるスペース内に横架され軸支されている。そして、該回動支点軸１３ａの一端にはギアやクラッチ（図示略）等が周設され、加えて、扇状のカム１４が周設されている。
【００１８】
ここで、前記カム１４は回動支点軸１３ａに固定して取り付けられており、また、図２及び図５に示すように、該カム１４の外側面には、その外周の１箇所に爪部１６ａを設けた、側面視、「６」字状の回転係止盤１６が設けられ、該カム１４と一体的に回転するように構成されている。
符号１７はソレノイド１８によって、吸引・吸引解除される係止プレートであって、その前端部には、前記回転係止盤１６の爪部１６ａに係脱する爪部１７ａが形成されている。
【００１９】
また、図２及び図３に示すように、前記カム１４とは上下に対向する位置において、フラッパ１１の後部側面よりシャフト１５を凸設させ、該シャフト１５の外周面１５ａと前記カム１４の回転面（外周面）とが当接するように構成する。
【００２０】
尚、前記シャフト１５はフラッパ１１に一体的に取り付け、又は形成して、強度面の向上を図り、さらに、摩擦係数が小さくなるように該シャフト１５の外周面１５ａを表面処理したり、円筒形のシャフト１５を使用してその外周面１５ａを曲面に形成する等して、カム１４との接触を滑らかにし、摺動抵抗の低減を図るとよい。
【００２１】
前記カム１４は、回動支点軸１３ａからの距離が相対的に長い領域と、短い領域とを有し、その結果、偏心して回転するのであるが、該カム１４の回動支点軸１３ａからの距離が最大となる面１４ａが、その回転軌跡における最下方位置にあるとき、該面１４ａがフラッパ１１のシャフト１５に当接することで、フラッパ１１はスプリング１２の押し上げ力に抗して所定の位置に押し下げられる。
【００２２】
しかし、このままでは、フラッパ１１はスプリング１２の復元力によって上昇しようとし、カム１４は斜上方に押されて、前記カム１４の面１４ａがフラッパ１１から自然に逃げ回りをし、図４に示すように、該カム１４は半回転してフラッパ１１を上昇させた状態に復帰させてまう。
【００２３】
よって、図５に示すように、前記ソレノイド１８を通電して、係止プレート１７を下降させ、その爪部１７ａを、回転係止盤１６の爪部１６ａに係合させて、カム１４の逃げ回りを阻止し、これによりフラッパ１１は所定の押下げ位置に安定して保持されて、その上面に積載された用紙はピックアップローラ１３に対して非接触状態に保たれる。
【００２４】
例えば、手差し扉１０を開けると、前記ソレノイド１８が通電されるように回路を組み、これによりフラッパ１１が押し下げられた状態に保たれるように構成しておけば、マルチ手差し部１に用紙がセットし易く、作業性が向上する。
【００２５】
本発明では、上述のようにカム１４の受動体をシャフト１５で構成しているため、シャフト１５の表面には塵挨等が溜まり難く、よって、該シャフト１５とカム１４との接触も円滑になり、メンテナンス性が向上する。
また、シャフト１５はフラッパ１１に簡単に取り付けることができ、組み付け性の向上を図ることができるとともに、カム１４との当接部にローラを使用した場合に比べて安価に構成でき、コストの削減を図ることができる。
【００２６】
【発明の効果】
本発明は、給紙装置において、以上のような構成とすることで、次のような効果を奏する。
すなわち、請求項１のように、複数枚の用紙を載置するフラッパと、該フラッパ上に積載された用紙を最上層の用紙から順に繰り込むピックアップローラと、該フラッパを上方へ付勢する付勢手段と、該ピックアップローラの回転軸に取り付けたカムと、該カムの外側面で一体に回転するように設け外周の一箇所に爪部を設けた回転係止盤と、該フラッパに凸設させた円筒形のシャフトと、を有し、前記フラッパと前記ピックアップローラとを離間・接触させるカム機構と、前端部に前記回転係止盤の爪部と係脱する爪部を有し、ソレノイドにより吸引、吸引解除される係止プレートと、を具備し、前記カム機構は、前記ソレノイドが通電することにより、前記係止プレートが下降して、前記係止プレートの爪部が前記回転係止盤の爪部に係合するとともに、前記回転軸からの距離が最大となる前記カムの面が前記シャフトに当接することで、カムの逃げ回りを阻止し、フラッパが所定の押下げ位置に安定して保持され、その上面に積載された用紙はピックアップローラに対して非接触状態に保つことができる。
また、該カムの受動体となるシャフトの表面には塵挨等が溜まり難く、メンテナンス性の向上を図ることができる。
さらに、該カムとの当接部にローラを使用した場合に比べて、安価に構成でき、コストの削減が図れるとともに、破損等のトラブルが発生しにくい上、該シャフトは該フラッパに簡単に取り付けることができるため、組み付け性の向上も図ることができる。
【００２７】
また、請求項２のように、装置前面に開閉可能な手差し扉を設け、該手差し扉を開けることで前記ソレノイドが通電されることで、フラッパが押し下げられた状態に保たれるように構成することができ、用紙がセットし易く、作業性が向上する。
【図面の簡単な説明】
【図１】コピー・ファクシミリ複合機の斜視図。
【図２】フラッパ１１の斜視図。
【図３】フラッパ１１の下降状態を示すマルチ手差し部１の側面断面図。
【図４】フラッパ１１の上昇状態を示すマルチ手差し部１の側面断面図。
【図５】カム１４の係止状態を示す側面図。
【符号の説明】
１    給紙装置
１０Ｔ  給紙カセット
１０Ｂ  給紙カセット
１１    フラッパ
１３    ピックアップローラ
１３ａ  回動支点軸
１４    カム
１４ａ  面
１５    シャフト
１５ａ  外周面
【図１】
0004123710.tif 000002
【図２】
0004123710.tif 000003
【図３】
0004123710.tif 000004
【図４】
0004123710.tif 000005
【図５】
0004123710.tif 000006